(57)【特許請求の範囲】
【請求項１】
単相二線式電力を単相三線式の擬似電力に変換する電源ケーブル本体（６０）と、
前記電源ケーブル本体（６０）の一端側に接続された単相二線式の入力プラグ（７０）と、
前記電源ケーブル本体（６０）の他端側に接続された単相三線式の出力プラグ（８０）と、で構成された、ことを特徴とする単相三線式変換用電源ケーブル。
【請求項２】
前記電源ケーブル本体（６０）は、少なくとも３線構造であって、
前記入力プラグ（７０）を構成する一対の差し込み脚のうち、第１の差し込み用脚（７２Ｒ）として設けられた接続端子（７４ｒ）には前記ケーブル本体（６０）を構成する第１ケーブル（６０ｒ）と、第２ケーブル（６０ｓ）の端部がそれぞれ接続され、
第２の差し込み用脚（７２Ｓ）として設けられた接続端子（７４ｓ）には、前記電源ケーブル本体（６０）を構成する第３ケーブル（６０ｎ）の端部が接続されると共に、該第３ケーブル（６０ｎ）がニュートラル線として使用される、ことを特徴とする請求項１の単相三線式変換用電源ケーブル。
【請求項３】
前記第１ケーブル（６０ｒ）と第３ケーブル（６０ｎ）との間及び前記第２ケーブル（６０ｓ）と第３ケーブル（６０ｎ）との間にそれぞれ負荷が接続される、ことを特徴とする請求項２の単相三線式変換用電源ケーブル。
【発明の詳細な説明】
【技術分野】
【０００１】
本発明は、単相二線式電力を単相三線式の擬似電力に変換する単相三線式変換用電源ケーブルに係り、特に、単相三線式の電力（電源）を使用する機器に対する非常用電源装置が単相二線式の電源装置である場合でも、負荷側を停電させることなくこの非常用電源装置を機器の電源装置として接続できるようにした単相三線式変換用電源ケーブルに関する。
【背景技術】
【０００２】
高速通信網を構築するために使用される通信線としては、光ファイバー線などが使用されている。この光ファイバー線を一般家屋や集合住宅等の一般ユーザまで敷設したＦＴＴＨ（Ｆｉｂｅｒ  ｔｏ  Ｔｈｅ  Ｈｏｍｅ）にあっては、一般ユーザの回線が集線される通信事業者（第一種又は第二種）側の末端通信施設には、一般ユーザとの間での光ファイバーによる光信号の多重化処理及び分離処理などを行う光加入者線局内装置用の通信機器（光伝送機器など）が備わっている。これらの通信機器は１つの収容施設（ＦＴＴＨ加入者収容ボックス）内に収容されていることが多い。
【０００３】
収容施設内には通常複数台の通信機器が収容されているので、これらの通信機器を稼働させると相当の発熱を伴う。そのため、収容施設内部の温度調整を行うため、収容施設内にはこれらの通信機器の他に空調装置が装備されているのが普通である。
【０００４】
通信機器は通常単相１００Ｖの電圧で駆動されるのに対して、空調装置は単相２００Ｖの電圧を駆動源としている。そのため、この収容施設に対する商用電源としては、単相の１００Ｖと２００Ｖの電圧をそれぞれ同時に供給できる単相三線式の商用電源が使用される。
【０００５】
ところで、このような収容施設にあっては、商用電源が停電したときでも、通信機器の動作が停止しないようにするため、収容施設内には更に無停電電源装置が常設されており、瞬電を含む比較的短時間の停電が起きたときでも通信機器等が正常に動作するような対策が講じられている。
【０００６】
このような瞬電を含む比較的短かい停電よりも長い停電（工事による停電や災害による停電など）の場合を考慮して、この収容施設には更に非常用電源の受電部（受電端子）が設けられている。
【０００７】
非常用電源の受電部は、商用電源以外の電源設備から単相三線式電力を受けるための受電端子（コンセント）であって、通常は移動電源車から受電して内部の収容機器に給電する。移動電源車としては通常発電機車が使用される。発電機車は単相三線式電力を給電できるように構成されており、一般にはトラックなどの大型輸送車に装備されたものが使用される。例えば、特許文献１の特開平１０−７５５１７号公報「移動電源車の電源ケーブル引出構造」、特許文献２の実開平７−１８９７６号公報「移動電源車の電源ケーブル接続構造」が提案されている。
【特許文献１】特開平１０−７５５１７号公報
【特許文献２】実開平７−１８９７６号公報
【発明の開示】
【発明が解決しようとする課題】
【０００８】
ところで、上述したように発電機車は、出力電力として単相三線式電力の給電が可能な反面、大型であること、高価であること等の理由で、常備台数は非常に少なく、従って急な停電時にはこの発電機車を収容施設まで仕向けることができないこともある。
【０００９】
この大型の発電機車に代わるものとして、可搬型の発電機が開発されている。この可搬型の発電機は、発電機車よりも安価に製作できると共に、小型で、可搬性に優れているから、停電発生地点まで素早く搬送することができる。その結果、無停電電源装置からの電力が切れる前に可搬型発電機からの電力を給電できるという利点がある。
【００１０】
その反面、可搬型発電機は、可搬型であるが故に出力電力としては単相二線式電力しか用意されていない。上述した収容施設に装備されている非常用電源の受電部は単相三線式の受電端子であるため、この受電端子から可搬発電機の電力を給電することは不可能である。
【００１１】
そのため、従来では、やむを得ず収容施設内に設けられた余剰コンセントを利用して給電するようにしている。ここに、余剰コンセントとは通信機器の入力電源路側に敷設されたコンセントであって、通信機器の増設などに対応するために設けられた予備のコンセントであり、通常は単相二線式の給電に対応したコンセントある。
【００１２】
可搬型発電機に接続された電源ケーブルの出力プラグをこの余剰コンセントに差し込んで、通信機器などに電力を供給している。しかし、このような電力供給では以下の問題を解決できない。
可搬型発電機の電源ケーブルを余剰コンセントに接続する場合、無停電電源装置を通信機器の入力電源路から一時切り離す必要がある。無停電電源装置からの電力によって余剰コンセント側が充電された状態にあると、可搬型発電機側に逆流するなどのおそれがあり、可搬型発電機を損傷するなどのおそれがあるからである。
【００１３】
無停電電源装置を通信機器の入力電源路から一時切り離している間は、通信機器などに電源が供給されないため、通信機器の動作は停止してしまう。無停電電源装置を備えながら、停電状態を回避できないという問題を有していた。
【００１４】
このような問題は、可搬型発電機を使用しても上述した収容施設に装備された非常用電源の受電端子に擬似単相三線式電力を供給できるようにすれば解決するものであり、これによって通信機器を停電させることなく非常用電力を供給できるようになる。
【００１５】
本発明は、かかる問題点を解決するために創案されたものである。すなわち、本発明の
目的は、単相二線式の電力であっても、通信機器側を停電させることなく、非常用電源の受電端子を使用して非常用電力を供給できるようにした単相三線式変換用電源ケーブルを提供することにある。
【課題を解決するための手段】
【００１６】
本発明によれば、単相二線式電力を単相三線式の擬似電力に変換する電源ケーブル本体（６０）と、前記電源ケーブル本体（６０）の一端側に接続された単相二線式の入力プラグ（７０）と、前記電源ケーブル本体（６０）の他端側に接続された単相三線式の出力プラグ（８０）と、で構成された、ことを特徴とする単相三線式変換用電源ケーブルが提供される。
本発明では、単相二線式電力を単相三線式の擬似電力に変換できる電源ケーブル（５０）を使用する。そのため、電源ケーブル本体（６０）としては３線式若しくは４線式の電源ケーブル（５０）を使用する。
【００１７】
この電源ケーブル本体（６０）の一端側に接続された単相二線式の入力プラグ（７０）を構成する一対の差し込み脚のうち、第１の差し込み用脚（７２Ｒ）として設けられた接続端子（７４ｒ）に前記ケーブル本体（６０）を構成する第１ケーブル（６０ｒ）と、第２ケーブル（６０ｓ）の端部をそれぞれ接続する。
【００１８】
そして、第２の差し込み用脚（７２Ｓ）として設けられた接続端子（７４ｓ）に電源ケーブル本体（６０）を構成する第３ケーブル（６０ｎ）の端部を接続し、この第３ケーブル（６０ｎ）をニュートラル線として使用する。
【００１９】
一方、出力プラグ（８０）に設けられた３つの差し込み脚のうち、第１の差し込み用脚（８２Ｒ、８２Ｓ）に接続された接続端子（例えばＲ端子）に第１ケーブル（６０ｒ）の端部を接続し、第２の差し込み用脚（８２Ｒ、８２Ｓ）に接続された接続端子（したがって、Ｓ端子）に第２ケーブル（６０ｓ）の端部を接続する。第３の差し込み脚に接続された接続端子（Ｎ端子）に第３ケーブル（６０ｎ）の端子を接続する。
【００２０】
こうすれば、第３ケーブル（６０ｎ）がニュートラル線となり、第１ケーブル（６０ｒ）と第３ケーブルとの間及び前記第２ケーブル（６０ｓ）と第３ケーブル（６０ｎ）との間には、相差のない単相１００Ｖの電圧が得られる。
【００２１】
収容施設（１０）内の電源路にあっては、第１ケーブル（６０ｒ）と第３ケーブル（６０ｎ）にそれぞれ対応する電源ケーブル（５０）との間及び第２ケーブル（６０ｓ）と第３ケーブル（６０ｎ）にそれぞれ対応する電源ケーブル（５０）との間にはそれぞれ負荷となる１００Ｖ駆動の通信機器（１０２，１０４）が接続されている。従って単相二線式電力であっても、これを単相三線式電力（単相三線式擬似電力）に変換した電圧を通信機器（１０２，１０４）のそれぞれに給電できる。
【００２２】
ここで、商用受電端子（商用側コンセント）（１２）と無停電電源装置との間の電源路及び非常用受電端子（非常用電源側コンセント）（３２）と無停電電源装置（２４）との間にはそれぞれ遮断器（ＭＣＢ；Ｍｏｌｄｅｄ  Ｃｉｒｃｕｉｔ  Ｂｒｅａｋｅｒ）（２２，３４）が設けられているので、これらの遮断器（２２，３４）の開閉状態を逆転させて、非常用電源部側に切り替えるだけで、可搬型発電機（４０）側の発電電力を収容施設内に給電できる。
【００２３】
つまり、無停電電源装置を介して負荷である通信機器（１０２，１０４）などに駆動電力を供給できるから、無停電電源装置からの電力を通信機器（１０２，１０４）に供給している状態で、この無停電電源装置からの電力に代えて可搬型発電機（４０）側から電力を供給できる。
【発明の効果】
【００２４】
本発明では、単相二線式の電力を単相三線式の擬似電力に変換して供給できる電源ケーブル（５０）であるので、単相二線式電力のみを出力電力とする可搬型発電機（４０）を使用しても、収容施設（１０）などに装備された非常用電源部にこの擬似単相三線式電力を供給できる。その結果、この電源ケーブル（５０）を使用することで通信機器（１０２，１０４）を停電させることなく非常用電力を供給できるようになる。
【発明を実施するための最良の形態】
【００２５】
本発明の単相三線式変換用電源ケーブルは、単相二線式電力を単相三線式の擬似電力に変換する電源ケーブル本体と、この電源ケーブル本体の一端側に接続された単相二線式の入力プラグと、電源ケーブル本体の他端側に接続された単相三線式の出力プラグとで構成された電源ケーブルである。
【実施例１】
【００２６】
以下、本発明の好ましい実施例を図面を参照して説明する。
図１は本発明の単相三線式変換用電源ケーブルを通信施設の非常用電源ケーブルとして適用した場合の一例を示す接続図である。図２は収容装置内の概要を示す通信機器等の接続図である。
本発明の単相三線式変換用電源ケーブル５０は、通信施設の非常用電源ケーブルとして適用する。例えば、収容施設１０内には光ファイバーを経由する光信号の送受信を行う通信機器（光伝送装置など）などからなる収容装置１００が収容されている。
収容装置１００内には、一例として図２に示すような機器が収容されている。この例では２台の通信機器（光伝送装置）１０２，１０４と、空調装置１０６が収容された例であって、通信機器１０２，１０４のそれぞれには一般ユーザとの間に敷設された多数の光ケーブルが接続されており、上位の光伝送装置との間での光信号の授受が行われる。
【００２７】
通信機器１０２，１０４などは１００Ｖ電源によって駆動され、空調装置１０６は２００Ｖ電源によって駆動されるものが使用されているので、収容装置１００には単相１００Ｖ及び単相２００Ｖの電力源によって給電される。
そのため、図１に示すようにこの収容装置１００の商用受電端子（商用側コンセント）１２には単相三線式による電力源が接続される。商用電源１４から供給される単相三線式による電力は、受電盤１６を介して上述の商用受電端子１２で受電される。受電盤１６は周知のように電力計１８や、受電用遮断器２０などを備える。
【００２８】
商用受電端子１２で受電された電力（実際は電圧）は商用電源側遮断器（ＭＣＢ）２２を介して無停電電源装置（ＵＰＳ；Ｕｎｉｎｔｅｒｒｕｐｔｉｂｌｅ  Ｐｏｗｅｒ Ｓｕｐｐｌｙ）２４に供給され、この無停電電源装置２４に接続されたバッテリー（二次電池）２６に蓄電（充電）される。無停電電源装置２４と収容装置１００との間の電源路３６にはさらに負荷側遮断器２８が接続され、必要時、無停電電源装置２４との間の電源路（電路）を遮断できるように構成されている。
【００２９】
また、この例では負荷側遮断器２８と収容装置１００との間の電源路３６には、複数の差し込み口を有する分岐コンセント３０が設けられ、収容装置１００内の機器と同等な機器が増設されたときの電源路を確保できる構成となされている。したがって分岐コンセント３０は単相１００Ｖの電圧を給電できるようなコンセント（接地極付きコンセントを含む）である。
【００３０】
この収容施設１０にはさらに非常用電源部を備える。この非常用電源部は非常用受電端子（非常用電源側コンセント）３２を有する。非常用受電端子３２は停電時等のとき商用電源に代えて駆動電力を給電するための電源端子であって、非常用受電端子３２は非常用電源側遮断器３４を介して無停電電源装置２４に接続される。これによって非常用電源が給電されたときでも無停電電源装置２４への給電（蓄電）を行うことができる。
商用電源側遮断器２２と非常用電源側遮断器３４とは、インターロックバー３８により、どちらか一方が「入」状態のとき，他方を「入」状態にすることができない構造となっている。
【００３１】
このような構成の収容施設１０に対する非常用電源は、上述したように発電機車が利用される。発電機車の出力は単相１００Ｖと２００Ｖであるため単相三線式の電源ケーブルが利用される。そのため、非常用受電端子３２も単相三線式の電源ケーブルが接続できるような受電端子（コンセント）となされている。  なお、後述するように突然の停電のようなときは、発電機車を手配できない場合があり、そのような場合には可搬型発電機を非常用電源として利用している。可搬型発電機の出力は単相１００Ｖのみであるので、接続用電源ケーブルとしては単相二線式の電源ケーブルが使用される。このため、従来ではやむなく分岐コンセント３０のうち空いている差し込み口３０ａにこの単相二線式の電源ケーブルを接続することで非常用電源を供給している。
【００３２】
図２では２台の通信機器１０２，１０４と１台の空調装置１０６が例示されているので、収容装置１００に対して単相１００Ｖと２００Ｖを配電する必要がある。そのため、一方の端子（給電端子、以下同様）Ｒとニュートラル端子Ｎとの間に通信機器１０２が接続されて単相１００Ｖの電圧が印加され、他方の端子Ｓとニュートラル端子Ｎとの間に他方の通信機器１０４が接続されて、同じく単相１００Ｖの電圧が印加される。直列接続されたこれら２台の通信機器１０２と１０４に対して、これらと並列に空調装置１０６が接続されることで、単相２００Ｖの電圧が供給される。
【００３３】
図３は本発明の単相三線式変換用電源ケーブルの一例を示す接続図である。
本発明では図示するような単相三線式変換用電源ケーブル５０が使用される。この単相三線式変換用電源ケーブル５０は、図１に示すように可搬型発電機４０と収容施設１０に付設された非常用受電端子３２との間の接続ケーブルとして使用される。
【００３４】
単相三線式変換用電源ケーブル５０は、単相二線式電力を単相三線式の擬似電力に変換できるケーブル構成となされている。図３に示すように電源ケーブル本体６０としては３線式若しくは４線式のケーブルが使用される。図３は前者の例であって、３線式の電源ケーブル本体６０は、Ｒ線用ケーブル（第１の電源ケーブル）６０ｒ、Ｓ線用ケーブル（第２の電源ケーブル）６０ｓ及びニュートラル線Ｎ用のケーブル（第３の電源ケーブル）６０ｎである。
【００３５】
この電源ケーブル本体６０としては、周知のキャブタイヤケーブルなどを使用することができる。なお、４線式の場合にはこれにさらに接地線用のケーブルが加わったものである。
【００３６】
電源ケーブル本体６０のうちその一端側（可搬型発電機４０側）には単相二線式の入力プラグ７０が接続され、他端側（負荷である収容装置１００側）には単相三線式用の出力プラグ８０が接続される。
【００３７】
入力プラグ７０を構成する一対の差し込み脚（脚片）７２Ｒ、７２Ｓのうち、第１の差し込み脚７２Ｒ用として設けられた接続端子７４ｒに電源ケーブル本体６０を構成する第１ケーブル６０ｒと、第２ケーブル６０ｓの端部の双方が接続される。
【００３８】
そして、第２の差し込み脚７２Ｓ用として設けられた接続端子７４ｓに電源ケーブル本体６０を構成する第３ケーブル６０ｎの端部が接続される。この第３ケーブル６０ｎがニュートラル線として使用される。
【００３９】
一方、出力プラグ８０に設けられた３つの差し込み脚８２Ｒ、８２Ｓ及び８２Ｎのうち、第１の差し込み脚（脚片）８２Ｒに接続された接続端子８４ｒに第１ケーブル６０ｒの端部が接続され、第２の差し込み脚８２Ｓに接続された接続端子８４ｓに第２ケーブル６０ｓの端部が接続される。そして第３の差し込み脚８２Ｎに接続された接続端子８４ｎに第３ケーブル６０ｎの端部が接続される。
【００４０】
図４は本発明の単相三線式変換用電源ケーブルの接続状態を示す接続図である。
このように３線式の電源ケーブル本体６０に対して入力プラグ７０と出力プラグ８０とを接続すれば、図４に示すように第３ケーブル６０ｎがニュートラル線となり、入力プラグ７０に給電された単相１００Ｖの電圧は、第１ケーブル６０ｒと第３ケーブル６０ｎとの線間及び第２ケーブル６０ｓと第３ケーブル６０ｎとの線間にそれぞれ印加されるから、相差のない単相１００Ｖの電圧（電流をＩ１,Ｉ２とする）がそれぞれ印加されたことになる。したがって、単相二線式電力を、擬似的に単相三線式電力として出力プラグ８０側に出力させることができる。その結果、この電源ケーブル５０を非常用受電端子３２に接続すれば、単相三線式の擬似電力を非常用受電端子３２側に供給できる。
【００４１】
一方、図４に示すように収容装置１００内に付設された電源路３６にあっては、第１ケーブル６０ｒと第３ケーブル６０ｎにそれぞれ対応する電源ケーブル３６ｒ，３６ｎとの線間及び第２ケーブル６０ｓと第３ケーブル６０ｎにそれぞれ対応する電源ケーブル４６ｓ，３６ｎとの線間にはそれぞれ負荷となる１００Ｖ駆動の通信機器１０２，１０４が接続されている。したがって単相二線式電力であっても、これを単相三線式に変換した電力を通信機器１０２，１０４のそれぞれに給電できる。
但し、第１ケーブル６０ｒと第２ケーブル６０ｓとの交流電力には相差がないので、空調装置１０６にはゼロＶの電圧しか印加されないため、空調装置１０６を駆動することはできない。なお、従来においても分岐コンセント３０に非常用電源を給電する場合には、空調装置１０６を駆動することはできない。
【００４２】
図５は本発明の単相三線式での電力供給状態を示す接続図である。
因みに、図５のように発電機車を使用して単相三線式の電源ケーブル２００を非常用受電端子３２に接続して、収容装置１００に単相の１００Ｖと２００Ｖを同時に給電できる場合には、非常時であっても通信機器１０２，１０４のそれぞれには単相１００Ｖの電源を供給でき、空調装置１０６には単相２００Ｖの電源を供給できることになる。
【００４３】
続いて、図４を参照して可搬型発電機４０と、単相三線式変換用電源ケーブル５０を使用した給電方法を説明する。
（１）可搬型発電機４０の発電機燃料（この例では、ガソリン）の有無を確認する。
（２）非常用受電端子３２側を検電する。テスターを使用して受電端子３２側が充電されていないことを確認する。つまり電気が流れていないことを確認する。
（３）可搬型発電機４０と非常用受電端子３２との間を、単相三線式変換用電源ケーブル５０で接続する。
（４）可搬型発電機４０を始動する。このとき可搬型発電機４０側のメーターで出力電圧が１００Ｖであることを確認する。
（５）商用電源１４側をオフにするため、商用電源側の遮断器２２をオフする。このとき、無停電電源装置２４に設けられた表示部（図示しない）で、出力電源がインバータ供給からバッテリー供給（ＵＰＳ供給）に切り替わっていることを確認する。
（６）非常用電源をオンにするため、インターロックバー３８を非常用電源側の遮断器３４から商用電源側の遮断器２２側にずらし、非常用電源側の遮断器３４を入れる。この場合においても、無停電電源装置２４に設けられた表示部で、出力電源がバッテリー供給からインバータ供給に切り替わっていることを確認すると共に、出力電圧が１００Ｖであることを確認する。
（７）可搬型発電機４０側より商用電源側が復帰（復旧）するまで電源を供給する。
（８）商用電源が復帰したときには、非常用電源側の電源をオフする。つまり、非常用電源側の遮断器３４をオフする。このとき、無停電電源装置２４の表示部で、出力電源がインバータ供給からバッテリー供給に切り替わっていることを確認する。
（９）商用電源側をオンするため、インターロックバー３８を商用電源側の遮断器２２より非常用電源側の遮断器３４にずらして、商用電源側の遮断器２２を入れる。このとき、無停電電源装置２４の表示部により、出力電源がバッテリー供給からインバータ供給に切り替わっていることを確認すると共に、出力電圧が１００Ｖであることを確認する。
（１０）可搬型発電機４０の駆動を停止する。このとき、発電機側のメーターで出力電圧がゼロボルトとなったことを確認する。
（１１）単相三線式変換用電源ケーブル５０を取り外す。
このように本発明による単相三線式変換用電源ケーブル５０を使用すれば、収容装置１００側を停電させることなく、非常用電源に切り換えて電力を供給することができる。
【００４４】
上述した実施例で、電源ケーブル本体６０の芯線数は４本のものでもよい。この場合には接地線が増えることになるので、入力プラグ７０及び出力プラグ８０としては、共に接地極付きのプラグが使用される。単相三線式変換用電源ケーブル５０で取り扱っている電圧値（単相１００Ｖと２００Ｖの電圧）は一例である。
【００４５】
本発明に係る単相三線式変換用電源ケーブルによる電力供給先は、上述した光ファイバー用収容施設に設けられた収容装置１００に限らず、電圧の異なる複数の電源を必要とす
る機器に対する非常用電源ケーブルとして使用できるように、本発明の思想を逸脱することなく種々の変形変更をなし得ることは容易に理解できる。
【産業上の利用可能性】
【００４６】
本発明の単相三線式変換用電源ケーブルは、光ファイバー用通信施設端末の収容施設に設けられた収容装置に適用できる。
【図面の簡単な説明】
【００４７】
【図１】本発明の単相三線式変換用電源ケーブルを通信施設の非常用電源ケーブルとして適用した場合の一例を示す接続図である。
【図２】収容装置内の概要を示す通信機器等の接続図である。
【図３】本発明に係る単相三線式変換用電源ケーブルの一例を示す接続図である。
【図４】この単相三線式変換用電源ケーブルの接続状態を示す接続図である。
【図５】単相三線式での電力供給状態を示す接続図である。
【符号の説明】
【００４８】
１０  収容施設
１００  収容装置
１０２，１０４  通信機器
１０６  空調装置
１４  商用電源、
２０，２２，２８，３４  遮断器
４０  可搬型発電機
５０  単相三線式変換用電源ケーブル
６０  電源ケーブル本体
６０ｒ，６０ｓ，６０ｎ  第１〜第３ケーブル
７０  入力プラグ
７２Ｒ、７２Ｓ  差し込み用脚
７４ｒ，７４ｓ  接続端子
８０  出力プラグ
８２Ｒ、８２Ｓ、８２Ｎ  差し込み用脚
８４ｒ，８４ｓ，８４ｎ  接続端子
【図１】
0005132342.tif 000002
【図２】
0005132342.tif 000003
【図３】
0005132342.tif 000004
【図４】
0005132342.tif 000005
【図５】
0005132342.tif 000006